(57)【要約】【課題】火炎に晒されても障子が傾きにくい樹脂製建具を提供する。【解決手段】室内外を連通する開口を形成する樹脂製の枠体と、前記枠体に支持されて前記開口を閉塞可能な樹脂製の障子と、を備えた樹脂製建具であって、前記障子の下部に固定され、前記障子と前記枠体との間に設けられた金属製の障子側部材と、前記枠体に固定され、前記障子を閉じた状態にて、前記障子側部材と互いに間隔を隔てて当該障子側部材の下方に配置される金属製の枠側部材と、を有する。【選択図】図３
2010265646.tif 000002
【特許請求の範囲】
【請求項１】
室内外を連通する開口を形成する樹脂製の枠体と、
前記枠体に支持されて前記開口を閉塞可能な樹脂製の障子と、
を備えた樹脂製建具であって、
前記障子の下部に固定され、前記障子と前記枠体との間に設けられた金属製の障子側部材と、
前記枠体に固定され、前記障子を閉じた状態にて、前記障子側部材と互いに間隔を隔てて当該障子側部材の下方に配置される金属製の枠側部材と、を有することを特徴とする樹脂製建具。
【請求項２】
請求項１に記載の樹脂製建具であって、
前記枠体は、前記障子が案内されるレールを有し、
前記障子は、前記レールに支持されて当該レール上を回動する樹脂製の車輪を備えた戸車を有し、
前記障子側部材は、見付け方向において前記戸車より端部側に配置されていることを特徴とする樹脂製建具。
【請求項３】
請求項１または請求項２に記載の樹脂製建具であって、
前記障子側部材は、前記枠側部材の室内側または室外側にて当該枠側部材と対向する対向部を有することを特徴とする樹脂製建具。
【請求項４】
請求項１乃至請求項３のいずれかに記載の樹脂製建具であって、
前記障子の上部には当該障子を閉じた状態にて前記枠体と係合可能な係合部材が設けられ、
前記枠体の上部には前記係合部材が係合される被係合部材が設けられ、
前記障子及び前記枠体が火炎に晒されて軟化または消失した際に、前記被係合部材と前記係合部材とが係合して前記障子が吊り下げられることを特徴とする樹脂製建具。
【請求項５】
請求項４に記載の樹脂製建具であって、
前記障子が前記戸車を介して前記枠体に支持された状態における前記係合部材と前記被係合部材との上下方向の間隔は、前記障子側部材と前記枠側部材との上下方向の間隔と等しいことを特徴とする樹脂製建具。
【発明の詳細な説明】
【技術分野】
【０００１】
本発明は、開口を形成する樹脂製の枠体に支持され、開口を閉塞可能な樹脂製の障子を備えた樹脂製建具に関する。
【背景技術】
【０００２】
従来、樹脂製建具としては、樹脂製窓枠に樹脂製の障子を開閉自在に取り付けた樹脂製窓が知られている（例えば、特許文献１参照）。このような樹脂製窓は、火災時に樹脂形材が軟化あるいは一部焼失して樹脂製の障子が脱落しないように、樹脂製窓枠の上枠に設けられた受け金具と樹脂製障子の上框に設けられた支持金具とで樹脂製の障子が吊り下げ支持されるように構成されている。
【先行技術文献】
【特許文献】
【０００３】
【特許文献１】特許第４２２９２８６号明細書
【発明の概要】
【発明が解決しようとする課題】
【０００４】
しかしながら、樹脂製建具が火炎に晒された場合に、火炎の熱により樹脂製の枠体や障子がどのように溶融され、どのように隙間が生じるかは、現場の状況により異なるため予め特定することは不可能であり、樹脂製の部位が溶融された位置および樹脂製の障子が吊り下げ支持された位置と火炎の状態によっては、樹脂製の障子が傾き火炎が貫通して防火基準を満たさない虞があるという課題がある。
【０００５】
本発明は、かかる課題に鑑みてなされたものであり、その目的とするところは、火炎に晒されても障子が傾きにくい樹脂製建具を提供することにある。
【課題を解決するための手段】
【０００６】
かかる目的を達成するために本発明の樹脂製建具は、室内外を連通する開口を形成する樹脂製の枠体と、前記枠体に支持されて前記開口を閉塞可能な樹脂製の障子と、を備えた樹脂製建具であって、前記障子の下部に固定され、前記障子と前記枠体との間に設けられた金属製の障子側部材と、前記枠体に固定され、前記障子を閉じた状態にて、前記障子側部材と互いに間隔を隔てて当該障子側部材の下方に配置される金属製の枠側部材と、を有することを特徴とする樹脂製建具である。
【０００７】
このような樹脂製建具によれば、障子の下部に固定された金属製の障子側部材が障子と枠体との間に配置されており、枠体に固定された金属製の枠側部材が、障子を閉じた状態にて、障子側部材の下方に配置されているので、たとえ樹脂製建具が火炎に晒されて枠体及び障子が溶融されて障子が降下したとしても、障子側部材が枠側部材に支持されるため、障子側部材及び枠側部材が設けられていない場合より、障子の降下量及び面内方向における移動を小さく抑えることが可能である。すなわち、たとえ障子が傾いたとしてもその傾きを小さく抑えることが可能である。このため、火炎に晒されても障子が傾きにくい樹脂製建具を提供することが可能である。
【０００８】
また、障子側部材と枠側部材とは互いに間隔を隔てて設けられているので、火炎にて枠体及び障子が溶融されない通常の状態では、枠体と障子とが干渉しない。このため、障子を滑らかに開閉することが可能である。
【０００９】
かかる樹脂製建具であって、前記枠体は、前記障子が案内されるレールを有し、前記障子は、前記レールに支持されて当該レール上を回動する樹脂製の車輪を備えた戸車を有し、前記障子側部材は、見付け方向において前記戸車より端部側に配置されていることが望ましい。  
障子は樹脂製の車輪を備えた戸車に支持されているので、戸車の車輪も火炎により溶融される虞がある。戸車の車輪が溶融された場合には、見付け方向において戸車より端部側の部位の方が戸車より内側の部位より大きく変位する。このため、障子側部材が戸車より端部側に配置されていると、より効果的に障子の傾きを抑えることが可能である。
【００１０】
かかる樹脂製建具であって、前記障子側部材は、前記枠側部材の室内側または室外側にて当該枠側部材と対向する対向部を有することが望ましい。  
このような樹脂製建具によれば、障子側部材が枠側部材の室内側または室外側にて当該枠側部材と対向する対向部を有しているので、たとえ障子に面外方向の傾く場合であっても、枠側部材に障子側部材の対向部が接触して、障子の面外方向の傾きも抑えることが可能である。
【００１１】
かかる樹脂製建具であって、前記障子の上部には当該障子を閉じた状態にて前記枠体と係合可能な係合部材が設けられ、前記枠体の上部には前記係合部材が係合される被係合部材が設けられ、前記障子及び前記枠体が火炎に晒されて軟化または消失した際に、前記被係合部材と前記係合部材とが係合して前記障子が吊り下げられることが望ましい。  
このような樹脂製建具によれば、前記障子及び前記枠体が火炎に晒されて樹脂製の部位が軟化または消失した際には、被係合部材と係合部材とが係合して障子が吊り下げられるので、障子が脱落することを防止することが可能である。
【００１２】
かかる樹脂製建具であって、前記障子が前記戸車を介して前記枠体に支持された状態における前記係合部材と前記被係合部材との上下方向の間隔は、前記障子側部材と前記枠側部材との上下方向の間隔と等しいことが望ましい。  
このような樹脂製建具によれば、樹脂製建具が火炎に晒されて樹脂製の部位が軟化または消失した際には、被係合部材と係合部材とが係合して障子が吊り下げられるとともに障子側部材が枠側部材に支持されるので、障子が傾くことをより効果的に防止することが可能である。
【発明の効果】
【００１３】
本発明によれば、火炎に晒されても障子が傾きにくい樹脂製建具を提供することが可能である。
【図面の簡単な説明】
【００１４】
【図１】本実施形態に係る樹脂製建具を室内側から見た外観図である。
【図２】上枠と上框との取り合い部分を示す縦断面図である。
【図３】下枠と下框との取り合い部分を示す縦断面図である。
【図４】左の縦枠と戸先框との取り合い部分を示す水平断面図である。
【図５】吊り部材を説明するための斜視図である。
【図６】縦枠側規制部材を説明するための斜視図である。
【図７】下枠側規制部材を説明するための斜視図である。
【図８】下枠側規制部材の他の実施例を説明するための斜視図である。
【発明を実施するための形態】
【００１５】
以下、本発明の一実施形態に係る樹脂製建具について図面を参照して説明する。  
本実施形態の樹脂製建具１は、図１に示すような引き違い窓用の樹脂製建具１であって、建物等にて室内外を連通する開口を形成する枠体１０と、枠体１０に支持されるとともに見付け方向に移動して開口を閉塞可能な２枚の障子２０、すなわち内障子２０ａ及び外障子２０ｂとを有している。
【００１６】
以下の説明においては、樹脂製建具１を室内側から見たときに、上下となる方向を上下方向、左右となる方向を左右方向または見付け方向、室内外方向である奥行き方向を見込み方向として示す。
【００１７】
枠体１０は、樹脂製の押出成形部材である枠部材が所定の長さにて４５度に切断され、互いの端部同士が突き合わされて接合されて形成されている。
【００１８】
枠部材は、枠体１０として取り付けられた状態にて、見込み方向におけるほぼ中央にて枠体１０内周側に突出し、内障子２０ａが移動する領域を含む室内側の領域１０ａと、外障子２０ｂが移動する領域を含む室外側の領域１０ｂと、を仕切る仕切り突出部１１を有している。また、室内側の領域１０ａには、枠部材の長手方向に沿って枠体１０内周側に突出する室内側突出部１２が、室外側の領域１０ｂには、枠部材の長手方向に沿って枠体１０内周側に突出する室外側突出部１３が設けられている。室内側突出部１２及び室外側突出部１３は、枠体１０を構成する上枠１０ｃ及び下枠１０ｄでは、２枚の障子２０ａ、２０ｂがそれぞれ案内されるガイド部となり、特に下枠１０ｄの室内側突出部１２及び室外側突出部１３は金属製のレール８が設けられるレール台となる。また、左側の縦枠１０ｅおよび右側の縦枠１０ｆの室内側突出部１２及び室外側突出部１３は、２枚の障子２０ａ、２０ｂとそれぞれ係合する部位となる。
【００１９】
枠部材には、仕切り突出部１１、室内側突出部１２および室外側突出部１３より外周側に３つの中空部１０ｇ、１０ｈ、１０ｉが見込み方向に並べて設けられており、各中空部１０ｇ、１０ｈ、１０ｉには金属製の補強部材９が設けられている。そして、最も室内側の中空部１０ｇに設けられた補強部材９が躯体２側にビス止めされている。このため、下枠１０ｄは、下枠１０ｄ上に溜まった水を中央の中空部１０ｈ及び室外側の中空部１０ｉ側から室外に排出するような排水経路が設けられている。
【００２０】
２枚の障子２０ａ、２０ｂは、枠組みされた框体２１と、框体２１にて囲まれた領域内に取り付けられるガラス３と、框体２１とともにガラス３の周端部を保持する押縁６と、を有している。
【００２１】
ガラス３は、図２〜４に示すように、２枚の耐熱強化ガラス４を室内外方向に対面させるとともに互いに間隔を隔てて一体に形成した複層ガラスである。複層ガラスの周端部には、２枚の耐熱強化ガラス４の間隔を保持するためのスペーサー５４が介在され、スペーサー５４の外周部分にシール剤５３が充填されている。
【００２２】
框体２１を構成する上框２１ａ、下框２１ｂ、戸先框２１ｃ、及び、召合せ框２１ｄは、樹脂製の押出成形部材であり、框部材が所定の長さにて４５度に切断され、上框２１ａ及び下框２１ｂの端部と左右に位置する戸先框２１ｃ及び召合せ框２１ｄの端部とが突き合わされて接合されることにより框体２１を構成している。
【００２３】
上框２１ａ、下框２１ｂ、戸先框２１ｃは、いずれも同一の断面形状をなし、長手方向に連通する中空部材であり、内部に金属製の補強部材７が設けられた框本体２２と、框本体２２の室外側の部位から框体２１の内周側に突出されてガラス３を対向する框内側突出部２３と、框本体２２から框体２１の外周側に突出されて見込み方向に間隔を隔てて設けられ互いに対向する一対の框外側突出部２４と、を有している。このため、上框２１ａ、下框２１ｂ、戸先框２１ｃには、一対の框外側突出部２４と框本体２２とによって、框体２１の外周側に、框体２１の外側に向かって開放された溝部２０ｃが繋がって形成されている。溝部２０ｃには、障子２０が枠体１０に取り付けられた際に、枠体１０の室内側突出部１２または室外側突出部１３が挿入される。
【００２４】
下框２１ｂの溝部２０ｃ内には、溝部２０ｃの内周に沿うように下方に開放されて断面が「コ」字状をなす金属製の補強部材７が長手方向に沿って設けられており、その内側に樹脂製の車輪を備えた戸車５が設けられている。
【００２５】
本実施形態の樹脂製建具１には、火炎に晒された際に、障子２０ａ、２０ｂが傾いたり脱落しないように、図１に示すように、障子２０ａ、２０ｂを上方から支える吊り部材４０と、２枚の障子２０ａ、２０ｂの戸先框２１ｃの縦枠１０ｅ、１０ｆに対する移動を各々規制する縦枠側規制部材４５と、２枚の障子２０ａ、２０ｂの下框２１ｂの下枠１０ｄに対する移動を各々規制する下枠側規制部材５０と、が設けられている。
【００２６】
吊り部材４０は、図５に示すように、上枠１０ｃ側に固定される被係合部材４１と、内障子２０ａ及び外障子２０ｂにそれぞれ取り付けられた係合部材４２とを有している。
【００２７】
上枠１０ｃに取り付けられる被係合部材４１は、障子２０ａ、２０ｂを閉めた際に、内障子２０ａの召合せ框２１ｄと外障子２０ｂの召合せ框２１ｄとの間となる位置に設けられ、樹脂製建具１が火炎に晒されて軟化または一部が消失した際に、障子２０ａ、２０ｂに設けられた後述する係合部材４２が係合される部材である。被係合部材４１は、障子２０ａ、２０ｂを閉めた状態にて内障子２０ａの召合せ框２１ｄ及び外障子２０ｂの召合せ框２１ｄと僅かに間隔を隔ててそれぞれ垂設された一対の垂壁部４１ａと、一対の垂壁部４１ａの下端が連結された底部４１ｂとを有する金属製の部材であり、垂壁部４１ａの上端に設けられた固定部４１ｃが上枠１０ｃの内部に設けられた補強部材９にビス止めされている。
【００２８】
係合部材４２は、内障子２０ａ及び外障子２０ｂの上框２１ａにそれぞれ取り付けられた金属製の部材であり、内障子２０ａの室外側の面の召合せ框２１ｄ側に固定されている。係合部材４２は、内障子２０ａまたは外障子２０ｂに当接される当接部４２ａと、当接部４２ａの室外側に配置され互いに間隔を隔てて設けられる係合片４２ｂと、当接部４２ａと係合片４２ｂとを框体２１の外周側にて連結する連結部４２ｃとを有している。このため、係合部材４２を上方から見た際には、戸先側に開放された「コ」字状をなしている。この係合部材４２は、障子２０ａ、２０ｂが閉められると、被係合部材４１が有する一対の垂壁部４１ａ間に、係合片４２ｂが配置される。このとき、係合部材４２の下縁４２ｄと被係合部材４１の底部４１ｂとは僅かに間隔が隔てられている。
【００２９】
樹脂製建具１の左右に設けられた縦枠側規制部材４５の構成は同じなので、ここでは、外障子２０ｂの戸先框２１ｃと左側の縦枠１０ｅに設けられた縦枠側規制部材４５を例に挙げて説明する。左側に設けられた縦枠側規制部材４５は、図４、図６に示すように、左の縦枠１０ｅに固定される規制金具４６と、内障子２０ａ及び外障子２０ｂにそれぞれ取り付けられた被規制金具４７とを有している。
【００３０】
規制金具４６は、障子２０ａ、２０ｂを閉めた際に、２枚の障子２０ａ、２０ｂの戸先框２１ｃが有する溝部２０ｃに入り込み、室外側突出部１３（内障子２０ａ側では室内側突出部１２）と仕切り突出部１１との間にビス止めされた金属製の部材である。規制金具４６は、縦枠１０ｅ側に固定される固定部４６ａと、固定部４６ａから室外側突出部１３とほぼ平行に枠体１０の内周側に突出された壁部４６ｂと、壁部４６ｂの先端と繋がるとともに室外側突出部１３の先端とほぼ同じ位置にて見込み方向に沿う平面を形成する規制板部４６ｃとを有し、規制板部４６ｃには外障子２０ｂを閉めた際に、外障子２０ｂの後述する規制片４７ｂが挿入される挿入孔４６ｄが設けられている。
【００３１】
被規制金具４７は、２枚の障子２０ａ、２０ｂの戸先框２１ｃがそれぞれ有する溝部２０ｃ内に設けられ、框本体２２の中空部に設けられた補強部材７にビス止めされている。被規制金具４７は、框本体２２に固定される固定部４７ａと固定部４７ａと繋がって溝部２０ｃの見込み方向におけるほぼ中央に設けられ溝部２０ｃのほぼ先端まで延出された規制片４７ｂとを有している。
【００３２】
下枠側規制部材５０は、図３、図７に示すように、下枠１０ｄに固定される枠側移動規制部材５１と、内障子２０ａ及び外障子２０ｂの召合せ框２１ｄの近傍であって、見付け方向において戸車５より端部側にそれぞれ取り付けられた障子側移動規制部材５２とを有している。
【００３３】
枠側移動規制部材５１は、室内側突出部１２の室外側の面または室外側突出部１３の室内側の面に沿って配置される立壁部５１ａを有し、断面が「Ｌ」字状をなす、金属製の部材であり、下枠１０ｄが有する中央の中空部１０ｈに設けられた補強部材９に、立壁部５１ａと繋がった固定部５１ｂがビス止めされている。立壁部５１ａの上端５１ｃは、室内側突出部１２または室外側突出部１３の上端１２ａ、１３ａより僅かに低い位置まで延出されている。ここで、枠側移動規制部材５１は、枠側部材の一例である。
【００３４】
障子側移動規制部材５２は、下框２１ｂの溝部２０ｃ内に設けられた補強部材７にビス止めされて、火炎に晒されて障子２０ａ、２０ｂが溶融した際に、枠体１０に設けられた枠側移動規制部材５１とともに障子２０ａ、２０ｂの移動を規制するための金属製の部材である。ここで、障子側移動規制部材５２は、障子側部材の一例である。
【００３５】
障子側移動規制部材５２は、ビスにて補強部材７に固定される板状の取付板部５２ａと、取付板部５２ａの室内側の縁から垂設された側板部５２ｂと、側板部５２ｂの下端と繋がって取付板部５２ａとほぼ平行をなす下板部５２ｃと、下板部５２ｃの室外側の縁から延出され室外側に向かって順次低くなる傾斜を有する傾斜部５２ｄと、傾斜部５２ｄの下側の縁から下方に垂設され側板部５２ｂとほぼ平行をなす規制板部５２ｅとを有している。
【００３６】
障子２０ａ、２０ｂが枠体１０に取り付けられてレール８上に戸車５が支持された状態では、下板部５２ｃはレール８及び枠側移動規制部材５１の上端と間隔を隔てて対向する位置の上方に位置しており、規制板部５２ｅは、下框２１ｂの溝部２０ｃ内に挿入された枠側移動規制部材５１と室内側突出部１２または室外側突出部１３と対向している。すなわち、規制板部５２ｅは、枠側移動規制部材５１と対向する対向部の一例である。また、規制板部５２ｅは、溝部２０ｃを構成する一対の框外側突出部２４のうちの室外側に位置する框外側突出部２４とほぼ面一となり、溝部２０ｃ内に突出しないように構成されている。
【００３７】
本実施形態の樹脂製建具１によれば、障子２０ａ、２０ｂの下部に固定された金属製の障子側移動規制部材５２が下框２１ｂの溝部２０ｃ内に配置されており、枠体１０に固定された金属製の枠側移動規制部材５１が、障子２０ａ、２０ｂを閉じた状態にて、障子側移動規制部材５２の下方に配置されているので、樹脂製建具１が火炎に晒されることにより枠体１０及び障子２０ａ、２０ｂが溶融されて障子２０ａ、２０ｂが降下しても、障子側移動規制部材５２が枠側移動規制部材５１に支持されるため、障子側移動規制部材５２及び枠側移動規制部材５１が設けられていない場合より、障子２０ａ、２０ｂの降下量及び面内方向における移動を小さく抑えることが可能である。このため、たとえ火炎の熱により障子２０ａ、２０ｂが傾いたとしてもその傾きを小さく抑えることが可能であり、火炎に晒されても障子２０ａ、２０ｂが傾き難い樹脂製建具１を提供することが可能である。
【００３８】
また、本実施形態の障子２０ａ、２０ｂを支持している戸車５の車輪は樹脂製なので、戸車５の車輪も火炎により溶融される虞がある。戸車５の車輪が溶融された場合には、見付け方向において戸車５より端部側の部位の方が戸車５より内側の部位より大きく変位する。このため、障子側移動規制部材５２が戸車５より端部側に配置されている本実施形態の樹脂製建具１は、より効果的に障子２０ａ、２０ｂの傾きを抑えることが可能である。
【００３９】
また、障子２０ａ、２０ｂの戸先框２１ｃは、障子２０ａ、２０ｂが閉められた状態では左右の縦枠１０ｅ、１０ｆと係合しているため、障子２０ａ、２０ｂが傾く場合には、戸先框２１ｃ側より召合せ框２１ｄ側が下がる方向に傾き易い。本実施形態の樹脂製建具１は、障子２０ａ、２０ｂを閉めた状態において障子２０ａ、２０ｂが傾き易い召合せ框２１ｄの近傍に下枠側規制部材５０が設けられているため、より一層効果的に障子２０ａ、２０ｂの傾きを抑えることが可能である。
【００４０】
また、障子側移動規制部材５２の下板部５２ｃと枠側移動規制部材５１の上端５１ｃとは互いに間隔を隔てて設けられているので、火炎にて枠体１０及び障子２０が溶融されない通常の状態では、枠体１０と障子２０ａ、２０ｂとが干渉しない。このため、障子２０ａ、２０ｂを滑らかに開閉することが可能である。
【００４１】
また、障子側移動規制部材５２が枠側移動規制部材５１の室外側にて枠側移動規制部材５１と対向する規制板部５２ｅを有しているので、たとえ障子２０ａ、２０ｂの下端が室内側に振れるように面外方向に傾きが生じる場合であっても、枠側移動規制部材５１に障子側部材の規制板部５２ｅが接触して、障子２０ａ、２０ｂの面外方向の傾きも抑えることが可能である。
【００４２】
また、障子２０ａ、２０ｂの上部には、障子２０ａ、２０ｂが閉じた状態にて枠体１０と係合可能な係合部材４２が設けられ、枠体１０の上部には係合部材４２が係合される被係合部材４１が設けられており、障子２０ａ、２０ｂ及び枠体１０が火炎に晒されて軟化または消失した際には、被係合部材４１と係合部材４２とが係合して被係合部材４１の底部４１ｂに係合片４２ｂが支持されて障子２０ａ、２０ｂが吊り下げられるので、障子２０ａ、２０ｂが枠体１０から脱落することを防止することが可能である。
【００４３】
また、本実施形態の樹脂製建具１は、障子２０ａ、２０ｂが戸車５を介してレール８に支持された状態では、係合部材４２の係合片４２ｂの下縁４２ｄと被係合部材４１の底部４１ｂとの上下方向における間隔は、障子側移動規制部材５２の下板部５２ｃの下面と枠側移動規制部材５１の立壁部５１ａの上端５１ｃとの上下方向における間隔と等しいので、樹脂製建具１が火炎に晒されて軟化または一部が消失した際には、被係合部材４１と係合部材４２とが係合して障子２０ａ、２０ｂが吊り下げられるとともに障子側移動規制部材５２が枠側移動規制部材５１に支持されるので、障子２０ａ、２０ｂが傾くことをより効果的に防止することが可能である。
【００４４】
上記実施形態においては、障子側移動規制部材５２が、下框２１ｂの溝部２０ｃ内に挿入された枠側移動規制部材５１と室内側突出部１２または室外側突出部１３と対向する規制板部５２ｅを有する例について説明したが、これに限るものではない。例えば、図８に示すように対向部を備えず、レール８及び枠側移動規制部材５１の上端と間隔を隔てて対向する位置の上方に位置する下板部５５ａを有する障子側移動規制部材５５であってもよい。この場合には、樹脂製建具１が火炎に晒されることにより枠体１０及び障子２０ａ、２０ｂが溶融されて障子２０ａ、２０ｂが降下しても、少なくとも障子側移動規制部材５５が枠側移動規制部材５１に支持されるため、障子側移動規制部材５５及び枠側移動規制部材５１が設けられていない場合より、障子２０ａ、２０ｂの降下量及び面内方向における移動を小さく抑えることが可能であり障子２０ａ、２０ｂが傾いたとしてもその傾きを小さく抑えることが可能である。
【００４５】
上記実施形態においては、引き違い用の樹脂製建具１を例に挙げて説明したが、これに限らず、片引き窓などのスライド形式の窓のような枠体が形成する開口を閉塞可能な障子を備えた樹脂製建具１であれば構わない。
【００４６】
上記実施形態においては、ガラスとして複層ガラスを用いた例について説明したが、単板状のガラスや合わせガラスなどであっても構わない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  樹脂製建具、５  戸車、８  レール、１０  枠体、
１０ｃ  上枠、１０ｄ  下枠、１０ｅ  縦枠、１０ｆ  縦枠、
２０  障子、２０ａ  内障子、２０ｂ  外障子、２１  框体、
２１ａ  上框、２１ｂ  下框、２１ｃ  戸先框、２１ｄ  召合せ框、
４０  吊り部材、４１  被係合部材、４１ｂ  底部、
４２  係合部材、４２ｂ  係合片、４２ｄ  下縁、
５０  下枠側規制部材、５１  枠側移動規制部材、
５１ａ  立壁部、５１ｃ  上端、５２  障子側移動規制部材、
５２ｃ  下板部、５２ｅ  規制板部、
５５  障子側移動規制部材、５５ａ  下板部
【図１】
2010265646.tif 000003
【図２】
2010265646.tif 000004
【図３】
2010265646.tif 000005
【図４】
2010265646.tif 000006
【図５】
2010265646.tif 000007
【図６】
2010265646.tif 000008
【図７】
2010265646.tif 000009
【図８】
2010265646.tif 000010